(57)【要約】【課題】投射光学装置を光学部品用筐体に対して、着脱容易にできるプロジェクターを提供すること。【解決手段】プロジェクター１は、光学部品用筐体４６の側面には、投射レンズ３のレンズ光軸を挟んで互いに対向し、保持部材５が当接する一対の当接部４６１１Ｂが設けられ、保持部材５は、レンズ光軸に直交する方向に張り出し、当接部４６１１Ｂに当接する張出部５２２を備え、張出部５２２を当接部４６１１Ｂに対して固定するネジ６を備え、保持部材５、及び光学部品用筐体４６の底面のいずれか一方には、レンズ光軸に直交する方向に突出する固定用突起５２３、いずれか他方には固定用突起５２３が嵌合する嵌合孔４６１２Ａを有する嵌合構造が設けられ、ネジ６が一対の張出部５２２を一対の当接部４６１１Ｂに対して固定する固定位置は、底面と固定位置の離間寸法が、底面と光軸の離間寸法以上となるように設定されている。【選択図】図９
2010211114.tif 000002
【特許請求の範囲】
【請求項１】
光源からの光束を画像情報に応じて変調する光変調装置と、前記光変調装置で変調された光束を投射する投射光学装置と、前記光変調装置を収納する光学部品用筐体と、前記投射光学装置を保持するとともに前記光学部品用筐体に取り付ける保持部材とを備えたプロジェクターであって、
前記光学部品用筐体の側面には、前記投射光学装置の光軸を挟んで互いに対向し、前記保持部材が当接する一対の当接部が設けられ、
前記保持部材は、前記光軸に直交する方向に張り出し、前記一対の当接部に当接する一対の張出部を備え、
前記一対の張出部を前記一対の当接部に対して固定する一対の固定部材を備え、
前記保持部材、及び前記光学部品用筐体の底面のいずれか一方には、
前記光軸に直交する方向に突出する固定用突起、いずれか他方には前記固定用突起が嵌合する嵌合孔を有する嵌合構造が設けられ、
前記固定部材が前記一対の張出部を前記一対の当接部に対して固定する固定位置は、
前記底面と前記固定位置の離間寸法が、前記底面と前記光軸の離間寸法以上となるように設定されている
ことを特徴とするプロジェクター。
【請求項２】
請求項１に記載のプロジェクターにおいて、
前記保持部材は前記投射光学装置及び前記光変調装置を一体化する
ことを特徴とするプロジェクター。
【請求項３】
請求項１または請求項２に記載のプロジェクターにおいて、
前記固定用突起は、前記保持部材に設けられ、
前記嵌合孔は、前記底面に形成され、
前記嵌合孔には、
前記投射光学装置の投射方向に突出する第１突起部と、前記投射方向と反対方向に突出する第２突起部とが設けられ、
前記第１突起部は、
前記第２突起部に対して前記光軸に近接する側に設けられている
ことを特徴とするプロジェクター。
【請求項４】
請求項１から請求項３のいずれかに記載のプロジェクターにおいて、
前記嵌合孔は、前記底面に形成され、
前記固定用突起は、前記保持部材に設けられ、先端が基端に対して前記投射光学装置の投射方向にずれたクランク形状を有する
ことを特徴とするプロジェクター。
【発明の詳細な説明】
【技術分野】
【０００１】
本発明は、プロジェクターに関する。
【背景技術】
【０００２】
従来、光源装置と、当該光源装置から射出された光束を画像情報に応じて変調する複数の光変調装置、及び、各光変調装置により変調された光束を合成して画像光を形成する色合成光学装置を有する光学装置と、形成された画像光を拡大投射する投射光学装置とを備えるプロジェクターが知られている（例えば、特許文献１参照）。
特許文献１に記載のプロジェクターでは、光学装置は、光学部品用筐体内部に配設されている。
具体的に、このプロジェクターでは、投射光学装置は、光学装置に設けられたヘッド体を介して、光学装置と一体化されている。このヘッド体には、四隅部分に固定用孔が形成されている。当該固定用孔は、投射光学装置の光軸に平行となるように形成されており、投射光学装置は、この固定用孔を介して、光学部品用筐体にネジ固定される。
【先行技術文献】
【特許文献】
【０００３】
【特許文献１】特開２００５−３３１５６１号公報
【発明の概要】
【発明が解決しようとする課題】
【０００４】
しかしながら、特許文献１に記載のプロジェクターでは、投射光学装置を光学部品用筐体に対して着脱する際、ヘッド体の四隅部分に設けられた固定用孔を介して四つのネジを着脱する必要がある。光学部品用筐体の底面側のネジを着脱するには、外装筐体から投射光学装置が取り付けられた光学部品用筐体を取り出して、ネジを着脱しなければならない。そのため、投射光学装置を光学部品用筐体に対して着脱することが容易ではないという問題がある。
【０００５】
本発明の目的は、投射光学装置を光学部品用筐体に対して、着脱容易にできるプロジェクターを提供することにある。
【課題を解決するための手段】
【０００６】
本発明のプロジェクターは、光源からの光束を画像情報に応じて変調する光変調装置と、前記光変調装置で変調された光束を投射する投射光学装置と、前記光変調装置を収納する光学部品用筐体と、前記投射光学装置を保持するとともに前記光学部品用筐体に取り付ける保持部材とを備えたプロジェクターであって、前記光学部品用筐体の側面には、前記投射光学装置の光軸を挟んで互いに対向し、前記保持部材が当接する一対の当接部が設けられ、前記保持部材は、前記光軸に直交する方向に張り出し、前記一対の当接部に当接する一対の張出部を備え、前記一対の張出部を前記一対の当接部に対して固定する一対の固定部材を備え、前記保持部材、及び前記光学部品用筐体の底面のいずれか一方には、前記光軸に直交する方向に突出する固定用突起、いずれか他方には前記固定用突起が嵌合する嵌合孔を有する嵌合構造が設けられ、前記固定部材が前記一対の張出部を前記一対の当接部に対して固定する固定位置は、前記底面と前記固定位置の離間寸法が、前記底面と前記光軸の離間寸法以上となるように設定されていることを特徴とする。
【０００７】
本発明では、保持部材には、光学部品用筐体の一対の当接部にそれぞれ当接する一対の張出部が設けられ、一対の張出部を一対の当接部に対して固定する一対の固定部材を備える。そして、前記固定部材が前記一対の張出部を前記一対の当接部に対して固定する固定位置は、前記底面と前記固定位置の離間寸法が、前記底面と前記光軸の離間寸法以上となるように設定されている。このことにより、従来では、光学部品用筐体とともに投射光学装置を取り出していたが、本発明によれば、一対の固定部材の固定位置は、光学部品用筐体の底面と前記固定位置の離間寸法が、底面と投射光学装置の光軸の離間寸法以上となるように設定されているので、光学部品用筐体を外装筐体内に収納した状態で投射光学装置を着脱し易い位置に一対の固定部材が固定されることとなる。すなわち、投射光学装置を光学部品用筐体が外装筐体に取り付けられた状態のままで、一対の固定部材を着脱するのみで光学部品用筐体から投射光学装置を着脱できる。従って、光学部品用筐体を外装筐体から取り出す作業を不要にし、一対の固定部材を光学部品用筐体に対して容易に着脱することができる。
さらに、保持部材、及び光学部品用筐体の底面には、固定用突起、及び固定用突起が嵌合する嵌合孔を有する嵌合構造が設けられている。このことにより、固定用突起を嵌合孔に嵌合、または嵌合を解除するのみの単純な作業で、保持部材を光学部品用筐体に対して容易に着脱することができる。
以上より、投射光学装置は、張出部を当接部に対して固定する固定部材、及び嵌合孔に嵌合させる固定用突起によって、光学部品用筐体に三点により固定される。すなわち、固定用突起は嵌合孔に嵌合させている単純な固定構造であるので、一対の固定部材を光学部品用筐体に対して固定、または固定を解除するのみの作業で、投射レンズ及び光変調装置を光学部品用筐体に対して容易に着脱することができる。
【０００８】
本発明のプロジェクターでは、前記保持部材は前記投射光学装置及び前記光変調装置を一体化することが好ましい。
本発明では、保持部材は、投射光学装置及び光変調装置を一体化する。このことにより、投射光学装置及び光変調装置を一体化した状態で光学部品用筐体に対して着脱できる。
【０００９】
本発明のプロジェクターでは、前記固定用突起は、前記保持部材に設けられ、前記嵌合孔は、前記底面部に形成され、前記嵌合孔には、前記投射光学装置の投射方向に突出する第１突起部と、前記投射方向と反対方向に突出する第２突起部とが設けられ、前記第１突起部は、前記第２突起部に対して前記光軸に近接する側に設けられていることが好ましい。
【００１０】
本発明では、固定用突起は保持部材に設けられ、嵌合孔は光学部品用筐体の底面に形成されている。嵌合孔には、第１突起部と、第２突起部とが設けられている。これによれば、投射光学装置を光軸に直交する平面に対して傾斜させて、固定用突起を第１突起部と第２突起部との間に挿入する。そして、投射光学装置の投射方向が光軸に一致する方向へ向けて、投射光学装置の位置を戻すことで、固定用突起が第１突起部に当接する。従って、投射光学装置を嵌合孔に容易に嵌合させることができる。
【００１１】
本発明のプロジェクターでは、前記嵌合孔は、前記底面部に形成され、前記固定用突起は、前記保持部材に設けられ、先端が基端に対して前記投射光学装置の投射方向にずれたクランク形状を有することが好ましい。
本発明では、固定用突起は、先端が基端に対して投射光学装置の投射方向にずれたクランク形状を有するので、上述したように、投射光学装置を光軸に直交する平面に対して傾斜させて、固定用突起を嵌合孔に容易に嵌合させることができる。投射光学装置と光変調装置を一体化させた場合でも同様の効果を得ることができる。
【図面の簡単な説明】
【００１２】
【図１】プロジェクターの概略構成を模式的に示す図。
【図２】投射レンズ及び光学装置本体が光学部品用筐体に対して固定された構造を示す斜視図。
【図３】前記投射レンズ及び前記光学装置本体が一体化された構造を示す斜視図。
【図４】前記投射レンズ及び前記光学装置本体を一体化する保持部材の構造を示す斜視図。
【図５】前記保持部材の構造を示す斜視図。
【図６】前記投射レンズ及び前記光学装置本体が前記光学部品用筐体に取り付けられた状態を示す断面図。
【図７】前記光学部品用筐体の構造を示す斜視図。
【図８】前記投射レンズ及び前記光学装置本体が前記光学部品用筐体に取り付けられる途中の状態を示す断面図。
【図９】前記投射レンズ、前記光学装置本体、前記光学部品用筐体の分解斜視図。
【発明を実施するための形態】
【００１３】
以下、本発明に係る一実施形態を図面に基づいて説明する。
［プロジェクターの構成］
図１は、プロジェクター１の概略構成を模式的に示す図である。なお、図１では、説明の便宜上、画像光の光軸（プロジェクター１からの投射方向）をＺ軸とし、Ｚ軸に直交する２軸をＸ軸（水平軸）及びＹ軸（鉛直軸）とする。以下の図面も同様である。
プロジェクター１は、光源から射出される光束を画像情報に応じて変調して画像光を形成し、この画像光をスクリーン（図示略）上に拡大投射する。このプロジェクター１は、図１に示すように、略直方体状の外装筐体２と、投射光学装置としての投射レンズ３と、光学ユニット４等を備える。
なお、図１において、具体的な図示は省略したが、外装筐体２内において、投射レンズ３及び光学ユニット４以外の空間には、プロジェクター１内部の各構成部材を冷却する冷却ファン等を備えた冷却ユニット、プロジェクター１内部の各構成部材に電力を供給する電源ユニット、及びプロジェクター１内部の各構成部材を制御する制御装置等が配置されるものとする。
【００１４】
外装筐体２は、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。そして、各ケースは、互いにネジ等で固定されている。なお、外装筐体２は、合成樹脂等に限らず、その他の材料にて形成してもよく、例えば、金属等により構成してもよい。
投射レンズ３は、鏡筒３１（図２参照）内に複数のレンズを組み合わせた組レンズとして構成され、光学ユニット４にて形成された画像光をスクリーン上に拡大投射する。
【００１５】
光学ユニット４は、前記制御装置による制御の下、光源から射出された光束を光学的に処理して画像情報に対応した画像光を形成する。この光学ユニット４は、図１に示すように、光源装置４１と、照明光学装置４２と、色分離光学装置４３と、リレー光学装置４４と、光学装置４５と、各光学部品４１〜４５を収納する光学部品用筐体４６とを備える。
【００１６】
光源装置４１は、図１に示すように、光源４１１及びリフレクタ４１２等を備える。
そして、光源装置４１は、光源４１１から射出された光束がリフレクタ４１２によって射出方向が揃えられ、照明光学装置４２に向けて光束を射出する。
【００１７】
照明光学装置４２は、図１に示すように、第１レンズアレイ４２１、第２レンズアレイ４２２、偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する３枚の液晶パネル４５１１（図３参照）上で重畳する。
【００１８】
色分離光学装置４３は、図１に示すように、２枚のダイクロイックミラー４３１，４３２、及び反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、及び反射ミラー４４２，４４４を備え、色分離光学装置４３で分離された色光、例えば、赤色光を光学装置４５の後述する赤色光側の光変調装置４５１Ｒまで導く機能を有する。
【００１９】
光学装置４５は、入射した光束を画像情報に応じて変調して画像光を形成する。この光学装置４５は、図１に示すように、３つの光変調装置４５１（赤色光側の光変調装置を４５１Ｒ、緑色光側の光変調装置を４５１Ｇ、青色光側の光変調装置を４５１Ｂとする）と、各光変調装置４５１の光路前段側に配置される入射側偏光板４５２と、各光変調装置４５１の光路後段側に配置される射出側偏光板４５３と、色合成光学装置としてのクロスダイクロイックプリズム４５４とを備える。そして、これらの各部材４５１〜４５４のうち、各光変調装置４５１、各射出側偏光板４５３、及び色合成光学装置としてのクロスダイクロイックプリズム４５４が一体化されて光学装置本体４５Ａを構成する（図２参照）。
ここで、本発明の光学装置は、光学装置本体４５Ａである。なお、光学装置本体４５Ａは、これら各部材４５１、４５３、４５４の他、各入射側偏光板４５２も一体化する構成を採用しても構わない。光学装置本体４５Ａの具体的な構成については、後述する。
【００２０】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの光変調装置４５１を構成する各液晶パネル４５１１（図３参照）は、一対の透明なガラス基板に電気光学物質である液晶が密閉封入された構成を有し、前記制御装置からの駆動信号に応じて、前記液晶の配向状態が制御され、入射側偏光板４５２から射出された偏光光の偏光方向を変調する。
３つの射出側偏光板４５３は、入射側偏光板４５２と略同様の機能を有し、液晶パネル４５１１（図３参照）を介して射出された光束のうち、一定方向の偏光光を透過し、その他の光束を吸収する。
【００２１】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、光変調装置４５１Ｇから射出され射出側偏光板４５３を介した色光を透過し、光変調装置４５１Ｒ，４５１Ｂから射出され各射出側偏光板４５３を介した各色光を反射する。このようにして、各色光が合成されて画像光が形成される。そして、クロスダイクロイックプリズム４５４で形成された画像光は、投射レンズ３に射出される。
【００２２】
［投射レンズ及び光学装置本体の取付構造］
図２は、投射レンズ３及び光学装置本体４５Ａが光学部品用筐体４６に対して固定された構造を示す斜視図であり、具体的には、＋Ｚ軸方向側から見た斜視図である。
投射レンズ３及び光学装置本体４５Ａは、具体的には後述するが、投射レンズ３のフランジ部３２及び保持部材５を介して一体化され、一対の固定部材としてのネジ６により光学部品用筐体４６に固定される。ネジ６の光学部品用筐体４６に対する固定位置は、光学部品用筐体４６の底面４６１３と固定位置との離間寸法Ｌ１（図６参照）が、底面４６１３と投射レンズ３におけるレンズ光軸Ａとの離間寸法Ｌ２（図６参照）以上となるように設定されている。
【００２３】
図３は、投射レンズ３及び光学装置本体４５Ａが一体化された構造を示す斜視図であり、具体的には、―Ｙ軸方向側から見た斜視図である。
投射レンズ３及び光学装置本体４５Ａは、図３に示すように、保持部材５を介して、一体化される。
投射レンズ３は、図３に示すように、上述した鏡筒３１の他に、鏡筒３１の基端部分において、外方に張り出す略矩形状のフランジ部３２を備える。
【００２４】
フランジ部３２は、四隅部分にネジ孔３２Ａが形成され、フランジ部３２の−Ｚ軸方向側の面には、位置決め穴（図示略）が形成される。このフランジ部３２は、ネジ孔３２Ａに対して＋Ｚ軸方向からネジ３２１で保持部材５に固定され、投射レンズ３及び保持部材５が一体化される。
一方、保持部材５の−Ｚ軸方向側では、光学装置本体４５Ａは、保持部材５の後述する水平支持部５１（図４及び図５参照）に接着固定される。
【００２５】
光学装置本体４５Ａは、上述した光変調装置４５１、各射出側偏光板４５３、及びクロスダイクロイックプリズム４５４の他、各光変調装置４５１をクロスダイクロイックプリズム４５４へ固定する図示しない取付部材及び支持部材を備え、これら各部材４５１，４５３〜４５４、取付部材、及び固定部材が一体化されたものである。なお、以下では、赤色光側を代表して説明し、その他の緑色光側及び青色光側については、同様の構成であるため、説明を省略する。
光変調装置４５１Ｒは、上述した液晶パネル４５１１の他、図３に示すように、液晶パネル４５１１を保持する保持枠４５１２を備える。
保持枠４５１２は、液晶パネル４５１１を露出させる窓を備えて枠状に形成され、液晶パネル４５１１を収納保持する部材である。
図示しない取付部材及び支持部材により、光変調装置４５１Ｒは、クロスダイクロイックプリズム４５４に対して一体化される。
【００２６】
［保持部材の構造］
図４及び図５は、保持部材５を示す斜視図である。具体的には、図４は、保持部材５を＋Ｚ軸方向側から見た斜視図であり、図５は、−Ｚ軸方向側から見た斜視図である。
保持部材５は、図４及び図５に示すように、Ｘ軸方向から見て略Ｌ字形状の板体で構成され、−Ｚ軸方向に延出した水平支持部５１と、＋Ｙ軸方向に延出した鉛直支持部５２とを備える。
【００２７】
水平支持部５１は、図４及び図５に示すように、略矩形状の板体で構成される。この水平支持部５１には、接着剤等にて、光学装置本体４５Ａが固定される。
鉛直支持部５２は、図４及び図５に示すように、略矩形状の板体で構成され、鉛直支持部本体５２１と、鉛直支持部本体５２１の両端部分からＸ軸方向に延出した略矩形状の張出部５２２と、鉛直支持部本体５２１から−Ｙ軸方向に延出した固定用突起５２３とを備える。
【００２８】
鉛直支持部本体５２１は、図４に示すように、略中央部分に開口部５２１１と、−Ｚ軸方向に窪む正面視（＋Ｚ軸方向から見た場合）略矩形状の凹部５２１２とを備える。
開口部５２１１は、投射レンズ３の鏡筒３１の基端部分の外径寸法と略同一径を有する。
凹部５２１２は、円柱状のレンズ位置決め突起部５２１２Ａと、ネジ３２１が螺合するネジ孔５２１２Ｂとを備え、投射レンズ３のフランジ部３２が嵌め込み可能に構成される。
レンズ位置決め突起部５２１２Ａは、＋Ｚ軸方向に沿って突出し、上述したフランジ部３２の位置決め孔（図示略）の内径と略同一寸法の外径を有し、開口部５２１１の中心を基準として対称となる位置に一対、配置される。
ネジ孔５２１２Ｂは、Ｚ軸方向に沿って保持部材５を貫通するように形成される。ネジ孔５２１２Ｂの周縁部分には、＋Ｚ軸方向に膨出したレンズ位置決め面５２１２Ｂ１が形成される。このレンズ位置決め面５２１２Ｂ１には、フランジ部３２のネジ孔３２Ａの周縁部分の面（図示略）が当接され、Ｚ軸方向の位置決めがされる。
【００２９】
すなわち、凹部５２１２には、投射レンズ３のフランジ部３２が嵌め込まれる。そして、上述したフランジ部３２の位置決め孔（図示略）には、レンズ位置決め突起部５２１２Ａが嵌合され、投射レンズ３のＸ、Ｙ軸方向の位置決めがされる。さらに、フランジ部３２のネジ孔３２Ａの周縁部分の面（図示略）には、レンズ位置決め面５２１２Ｂ１が当接され、投射レンズ３のＺ軸方向の位置決めがされる。これにより、投射レンズ３と保持部材５とがＸ、Ｙ、Ｚ軸方向に位置決めされて、フランジ部３２のネジ孔３２Ａと凹部５２１２のネジ孔５２１２Ｂとの位置が一致する。これにより、投射レンズ３と保持部材５とが、ネジ３２１により固定されることで一体化される。
【００３０】
張出部５２２は、鉛直支持部本体５２１の左右両端部分の上部のみからＸ軸方向に沿って延出し、一対形成される。この張出部５２２は、ＸＹ平面に対向し、張出部５２２の＋Ｚ軸方向側に位置する前方面５２２１（図４参照）と、ＸＹ平面に対向し、張出部５２２の−Ｚ軸方向側に位置する後方面５２２２（図５参照）とを備える。
【００３１】
前方面５２２１は、図４に示すように、Ｚ軸方向に沿って貫通した固定用孔５２２１Ａを一対備える。
固定用孔５２２１Ａは、後述する光学部品用筐体４６の第１保持部４６１１（図７参照）に形成された固定用孔４６１１Ｂ１に対応する位置に配設される。これにより、保持部材５が固定用孔５２２１Ａを介してネジ６（図２参照）にて、光学部品用筐体４６に対して螺合固定される。
【００３２】
後方面５２２２は、図５に示すように、位置決め突起としての筐体位置決め突起部５２２２Ａと、筐体位置決め面５２２２Ｂとを備える。
筐体位置決め突起部５２２２Ａは、保持部材５を光学部品用筐体４６に対してＸ、Ｙ軸方向の位置決めをする部分であり、光学部品用筐体４６の後述する位置決め基準孔４６１１Ｂ２（図６及び図７参照）に嵌合する。
筐体位置決め面５２２２Ｂは、固定用孔５２２１Ａの周縁部分から−Ｚ軸方向に膨出し、後述する光学部品用筐体４６の第１保持部４６１１に形成される位置決め面４６１１Ｂ３（図７参照）に当接する部分である。
【００３３】
図６は、投射レンズ３及び光学装置本体４５Ａが光学部品用筐体４６に取り付けられた状態を示す断面図であり、本発明の要部を示す断面図である。
固定用突起５２３は、図４及び図５に示すように、Ｚ軸方向から見て略矩形状の板体で形成され、図６に示すように、先端が基端に対して投射レンズ３の投射方向にずれたクランク形状を有する。
固定用突起５２３は、＋Ｚ軸方向側に位置する先端面５２３１、及び−Ｚ軸方向側に位置する当接面５２３２を備える。固定用突起５２３は、クランク形状を有することから、固定用突起５２３が後述する光学部品用筐体４６の嵌合孔４６１２Ａに挿入される際、ＸＹ平面に対して傾いた方向から挿入され易い構造となっている。例えば、固定用突起５２３は、クランク形状ではなく、直線状に形成されている場合と比べると、固定用突起５２３をレンズ光軸Ａに直交する平面に対して傾斜させて嵌合孔４６１２Ａに挿入する際、先端面５２３１と第１突起部４６１２Ｂ側の嵌合孔４６１２Ａの内壁との距離が長くなる。すなわち、固定用突起５２３のレンズ光軸Ａに直交する平面に対する傾斜度合いを大きくすることができ、着脱の容易さを向上している。
【００３４】
先端面５２３１は、固定用突起５２３が嵌合孔４６１２Ａに嵌合した際に、後述する光学部品用筐体４６の第２突起部４６１２Ｃと当接する部分である。
当接面５２３２は、図６に示すように、固定用突起５２３が嵌合孔４６１２Ａに嵌合した際に、後述する光学部品用筐体４６の第１突起部４６１２Ｂに当接する部分である。
【００３５】
［光学部品用筐体の構造］
図７は、光学部品用筐体４６を＋Ｚ軸方向側から見た斜視図である。
光学部品用筐体４６は、光学部品を閉塞する蓋状の上筐体４６Ａと、光学部品を収納する上面が開口した下筐体４６Ｂとで構成される。
上筐体４６Ａは、下筐体４６Ｂの蓋体であり、下筐体４６Ｂを覆うものである。また、上筐体４６Ａには、光学装置本体４５Ａを上方へ向けて、取り外すために開口された開口部４６Ａ１が形成される。
下筐体４６Ｂは、容器状に形成され、投射レンズ３や光学ユニット４等を収納するものである。この下筐体４６Ｂには、保持部材５及び光学装置本体４５Ａが配置され、＋Ｚ軸方向側に光学装置４５から射出される画像光を通過させるための切欠部４６０が形成される。
【００３６】
切欠部４６０は、投射レンズ３及び光学装置本体４５Ａが収納可能な大きさに形成され、投射レンズ３及び光学装置本体４５Ａが取り付けられるユニット取付部４６１を備える。
ユニット取付部４６１は、＋Ｙ軸方向に立設された一対の直方体状の第１保持部４６１１と、Ｘ軸方向に沿って配設された平面視略矩形状の第２保持部４６１２とを備える。
【００３７】
第１保持部４６１１は、ＸＺ平面に対向する先端部４６１１Ａと、ＸＹ平面に対向する当接部４６１１Ｂとを備える。
先端部４６１１Ａは、第１保持部４６１１の＋Ｙ軸方向側の一端に形成され、ナットＮ（図６参照）が収納される収納穴４６１１Ａ１を備える。
【００３８】
当接部４６１１Ｂは、一対の固定用孔４６１１Ｂ１と、一対の位置決め基準孔４６１１Ｂ２とを備える。
固定用孔４６１１Ｂ１は、張出部５２２の固定用孔５２２１Ａに対応する位置に形成され、先端部４６１１Ａの収納穴４６１１Ａ１と連通する。この固定用孔４６１１Ｂ１の周縁部分には、位置決め面４６１１Ｂ３が形成される。
位置決め基準孔４６１１Ｂ２は、保持部材５の筐体位置決め突起部５２２２Ａが嵌合することで、保持部材５のＸ、Ｙ軸方向の位置決めをする。
位置決め面４６１１Ｂ３は、固定用孔４６１１Ｂ１の周縁部分から＋Ｚ軸方向に向けて膨出し、Ｚ軸方向における保持部材５の基準面として構成される。位置決め面４６１１Ｂ３と保持部材５の筐体位置決め面５２２２Ｂとが当接することにより、保持部材５のＺ軸方向の位置決めがされる。
【００３９】
第２保持部４６１２は、図７に示すように、光学部品用筐体４６の底面４６１３（図６参照）に形成され、第１保持部４６１１の当接部４６１１Ｂに対して直交し、当該底面から−Ｙ軸方向に貫通する平面視略コ字状の嵌合孔４６１２Ａを備える。
嵌合孔４６１２Ａには、＋Ｚ軸方向へ突出する第１突起部４６１２Ｂと、−Ｚ軸方向に突出する第２突起部４６１２Ｃとが形成される。
第１突起部４６１２Ｂは、第２突起部４６１２Ｃに対してレンズ光軸Ａから近接する側に設けられている。また、第１突起部４６１２Ｂには、固定用突起５２３の当接面５２３２が当接する。
第２突起部４６１２Ｃには、固定用突起５２３の先端面５２３１が当接する。
これにより、固定用突起５２３が嵌合孔４６１２Ａに挿入される際に、一体化された投射レンズ３及び光学装置本体４５ＡがＸＹ平面に対して傾けた方向から挿入され易くなっている。
【００４０】
［光学部品用筐体への取り付け方］
図８は、投射レンズ３及び光学装置本体４５Ａが光学部品用筐体４６に取り付けられる途中の状態を示す断面図である。
図９は、投射レンズ３及び光学装置本体４５Ａ、光学部品用筐体４６の分解斜視図である。
次に、投射レンズ３及び光学装置本体４５Ａを、光学部品用筐体４６に取り付ける方法を説明する。
なお、以下では、投射レンズ３及び光学装置本体４５Ａは、保持部材５により、予め一体化されているものとする。
先ず、図８に示すように、保持部材５の固定用突起５２３をＸＹ平面に対して傾けた方向から嵌合孔４６１２Ａへ挿入する。
次に、一体化された投射レンズ３及び光学装置本体４５Ａを時計回り（＋Ｚ軸方向から＋Ｙ軸方向）に向けて、起こし上げて、固定用突起５２３の当接面５２３２を第１突起部４６１２Ｂに当接させることで、固定用突起５２３が嵌合孔４６１２Ａに嵌合する。
そして、保持部材５を＋Ｚ軸方向側からユニット取付部４６１に押し当て、一対の位置決め基準孔４６１１Ｂ２に一対の筐体位置決め突起部５２２２Ａを嵌合させるとともに、固定用孔４６１１Ｂ１に固定用孔５２２１Ａを位置づけて、筐体位置決め面５２２２Ｂを位置決め面４６１１Ｂ３に当接させる。
さらに、この状態において、図９に示すように、ネジ６を＋Ｚ軸方向から張出部５２２の固定用孔５２２１Ａを介して固定用孔４６１１Ｂ１に挿通させ、ネジ６を当接部４６１１Ｂに収納されるナットＮに螺合させる。
これにより、一体化された投射レンズ３及び光学装置本体４５Ａが、一対のネジ６及び固定用突起５２３の三点により、光学部品用筐体４６に対して固定される。
【００４１】
上述した本実施形態のプロジェクター１によれば、以下の効果がある。
保持部材５には、光学部品用筐体４６の一対の当接部４６１１Ｂにそれぞれ当接する一対の張出部５２２が設けられ、一対の張出部５２２を一対の当接部４６１１Ｂに対して固定する一対のネジ６を備える。そして、当接部４６１１Ｂ及び張出部５２２は、光学部品用筐体４６の底面４６１３に対する離間寸法Ｌ１が、底面４６１３に対する投射レンズ３におけるレンズ光軸Ａの離間寸法Ｌ２以上となるように設けられている。すなわち、光学部品用筐体４６を外装筐体２内に収納した状態において、一対のネジ６が着脱し易い位置に固定されることとなる。そのため、光学部品用筐体４６を外装筐体２から取り出すことなく、投射レンズ３及び光学装置本体４５Ａを容易に着脱できる。
さらに、保持部材５、及び光学部品用筐体４６の底面４６１３には、固定用突起５２３、及び固定用突起５２３が嵌合する嵌合孔４６１２Ａを有する嵌合構造が設けられている。このことにより、固定用突起５２３を嵌合孔４６１２Ａに嵌合、または嵌合を解除するのみの単純な作業で、保持部材５を光学部品用筐体４６に対して容易に着脱することができる。
以上より、一体化された投射レンズ３及び光学装置本体４５Ａは、張出部５２２を当接部４６１１Ｂに対して固定するネジ６、及び嵌合孔４６１２Ａに嵌合させる固定用突起５２３によって、光学部品用筐体４６に三点により固定される。すなわち、固定用突起５２３は嵌合孔４６１２Ａに嵌合させている単純な固定構造であるので、一対のネジ６を光学部品用筐体４６に対して固定、または固定を解除するのみの作業で、投射レンズ３及び光学装置本体４５Ａを光学部品用筐体４６に対して容易に着脱することができる。
【００４２】
張出部５２２及び当接部４６１１Ｂには、筐体位置決め突起部５２２２Ａ、及び位置決め基準孔４６１１Ｂ２を有する位置決め構造が設けられているので、張出部５２２に対して当接部４６１１Ｂを当接させることで、光学部品用筐体４６に対して光学装置本体４５Ａ及び投射レンズ３のレンズ光軸Ａに直交する平面内での位置ずれを防止できる。
さらに、嵌合孔４６１２Ａには、第１突起部４６１２Ｂと、第２突起部４６１２Ｃとが設けられており、一体化された投射レンズ３及び光学装置本体４５Ａをレンズ光軸Ａに直交する平面に対して傾斜させて、固定用突起５２３を嵌合孔４６１２Ａに挿入する際、固定用突起５２３を第１突起部４６１２Ｂと第２突起部４６１２Ｃとの間に挿入する。そして、投射レンズ３の投射方向がレンズ光軸Ａに一致する方向に向けて、一体化された投射レンズ３及び光学装置本体４５Ａの位置を戻すことで、固定用突起５２３が第１突起部４６１２Ｂに当接する。従って、一体化された投射レンズ３及び光学装置本体４５Ａを嵌合孔４６１２Ａに容易に嵌合させることができる。
【００４３】
固定用突起５２３は、先端が基端に対して投射レンズ３の投射方向にずれたクランク形状を有するので、上述したように、一体化された投射レンズ３及び光学装置本体４５Ａをレンズ光軸Ａに直交する平面に対して傾斜させて、固定用突起５２３を嵌合孔４６１２Ａに容易に嵌合させることができる。
【００４４】
［実施形態の変形］
なお、本発明を実施するための最良の構成、方法などは、以上の記載で開示されているが、本発明は、これに限定されるものではない。
例えば、前記実施形態では、保持部材５の張出部５２２に固定用孔５２２１Ａを形成し、ネジ６にて保持部材５を光学部品用筐体４６に対して固定していたが、バネ等を用いた付勢部材で固定してもよい。この際にも、付勢部材が一対の張出部５２２を一対の当接部４６１１Ｂに対して固定する固定位置は、離間寸法Ｌ１が、離間寸法Ｌ２以上となるように設定されている。
前記実施形態では、保持部材５側に複数の筐体位置決め突起部５２２２Ａ、及び光学部品用筐体４６側に複数の位置決め基準孔４６１１Ｂ２を設けたが、保持部材５側に複数の位置決め基準孔、及び光学部品用筐体４６側に複数の筐体位置決め突起部を設けてもよい。
【００４５】
前記実施形態では、張出部５２２は、鉛直支持部本体５２１の左右両端部分の上部のみからＸ軸方向に沿って延出していたが、鉛直支持部本体５２１の左右両端部分の全体からＸ軸方向に沿って延出していてもよい。
前記実施形態では、保持部材５側に固定用突起５２３、及び光学部品用筐体４６側に嵌合孔４６１２Ａを設けたが、保持部材５側に嵌合孔、及び光学部品用筐体４６側に固定用突起を設けてもよい。
前記実施形態では、固定用突起５２３は、クランク形状であったが、屈曲させない形状に形成してもよい。
前記実施形態では、保持部材５に投射レンズ３と光学装置本体４５Ａが一体化されていたが、光学装置本体４５Ａは光学部品用筐体４６に直接固定され、保持部材５には投射レンズ３のみが固定されていてもよい。
【００４６】
前記実施形態では、光学ユニット４は平面視略Ｌ字形状を有した構成としたが、これに限らず、例えば、平面視略Ｕ字形状を有した構成を採用してもよい。
前記実施形態では、透過型の液晶パネル４５１１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００４７】
本発明は、プレゼンテーションやホームシアターに用いられるプロジェクターに利用できる。
【符号の説明】
【００４８】
１…プロジェクター、３…投射レンズ（投射光学装置）、５…保持部材、６…固定部材（ねじ）、４６…光学部品用筐体、４１１…光源、４５１…光変調装置、４５４…クロスダイクロイックプリズム（色合成光学装置）、５２２…張出部、５２３…固定用突起、４６１１Ｂ…当接部、４６１２Ａ…嵌合孔、４６１２Ｂ…第１突起部、４６１２Ｃ…第２突起部、４６１３…底面、Ａ…レンズ光軸（光軸）、Ｌ１，Ｌ２…離間寸法。
【図１】
2010211114.tif 000003
【図２】
2010211114.tif 000004
【図３】
2010211114.tif 000005
【図４】
2010211114.tif 000006
【図５】
2010211114.tif 000007
【図６】
2010211114.tif 000008
【図７】
2010211114.tif 000009
【図８】
2010211114.tif 000010
【図９】
2010211114.tif 000011